(57)【要約】内部が不完全な真空状態にある開封可能な包装体を有する喫煙品用パック。また喫煙品用の支持部材を有し、この支持部材は包装体内に位置する喫煙品用パック。
2017519692.tif 000002
【特許請求の範囲】
【請求項１】
内部が不完全な真空状態にある開封可能な包装体と喫煙品の支持部材とを含み、この支持部材は包装体の中に位置する喫煙品用パック。
【請求項２】
ヒンジ式蓋付きパックを含み、包装体はヒンジ式蓋付きパックの中に位置することを特徴とする請求項１に記載の喫煙品用パック。
【請求項３】
包装体はバリア材を含むことを特徴とする請求項１または２に記載の喫煙品用パック。
【請求項４】
バリア材はラミネート材を含むことを特徴とする請求項３に記載の喫煙品用パック。
【請求項５】
バリア材はポリマー材および金属系材を含むことを特徴とする請求項３または４に記載の喫煙品用パック。
【請求項６】
包装体は一つ以上のシールを含むことを特徴とする請求項１乃至５いずれか１項に記載の喫煙品用パック。
【請求項７】
１つ以上のシールはフィンシールを含むことを特徴とする請求項６に記載の喫煙品用パック。
【請求項８】
支持部材は、少なくとも３つの面で少なくとも部分的に喫煙品を囲むことを特徴とする請求項１乃至７いずれか１項に記載の喫煙品用パック。
【請求項９】
支持部材は、少なくとも５つの面で少なくとも部分的に喫煙品を囲むことを特徴とする請求項１乃至８いずれか１項に記載の喫煙品用パック。
【請求項１０】
支持部材は喫煙品を収容する箱を含むことを特徴とする請求項１乃至９いずれか１項に記載の喫煙品用パック。  
【請求項１１】
前記箱は６つの面で少なくとも部分的に喫煙品を囲むことを特徴とする請求項１０に記載の喫煙品用パック。
【請求項１２】
前記箱は開口部を含むことを特徴とする請求項１０または１１に記載の喫煙品用パック。
【請求項１３】
包装体は支持部材の開口部と合致する開封可能な取り出し口を含むことを特徴とする請求項１乃至１２いずれか１項に記載の喫煙品用パック。
【請求項１４】
前記開封可能な取り出し口は再度閉めることが可能であることを特徴とする請求項１３に記載の喫煙品用パック。
【請求項１５】
支持部材は板紙材を含むことを特徴とする請求項１乃至１４いずれか１項に記載の喫煙品用パック。
【請求項１６】
喫煙品は包装体内に位置することを特徴とする請求項１乃至１５いずれか１項に記載の喫煙品用パック。
【請求項１７】
添付の図面を参照して本明細書に実質的に記載された喫煙品用パック。
【発明の詳細な説明】
【技術分野】
【０００１】
本発明は喫煙品用パックに関する。
【背景技術】
【０００２】
紙巻きタバコ用のパックは包装された紙巻きタバコの包みを含み、ヒンジ式蓋付きパックに収容される。包装された紙巻きタバコの包みはホイルラッパーを有し、このラッパーは少なくとも部分的に複数の紙巻きタバコを囲む。ヒンジ式蓋を開けると、ホイルラッパーの一部は取り除かれ、紙巻きタバコに触れることができる。
【発明の概要】
【０００３】
本発明では喫煙品用パックを供し、このパックは、内部が不完全な真空状態にある開封可能な包装体と喫煙品の支持部材とを含み、この支持部材は包装体の中に位置する。
【０００４】
喫煙品用パックは、ヒンジ式蓋付きパックを含んでもよく、包装体はヒンジ式蓋付きパックの中に位置する。
【０００５】
包装体はバリア材を含んでもよい。バリア材はラミネート材を含んでもよい。バリア材はポリマー材および金属系材を含んでもよい。
【０００６】
包装体は一つ以上のシールを含んでもよい。この一つ以上のシールはフィンシールを含んでもよい。
【０００７】
支持部材は、少なくとも３方の面で喫煙品を少なくとも部分的に囲んでもよい。あるいは支持部材は少なくとも５方の面で喫煙品を少なくとも部分的に囲んでもよい。
【０００８】
支持部材は喫煙品を収容する箱を含んでもよい。箱は６方の面で喫煙品を少なくとも部分的に囲んでもよい。箱は開口部を含んでもよい。
【０００９】
包装体は支持部材の開口部と合致する開封可能な取り出し口を含んでもよい。開封可能な取り出し口は再度閉じることができてもよい。
【００１０】
支持部材は板紙材を含んでもよい。
【００１１】
喫煙品は包装体内に位置してもよい。
【図面の簡単な説明】
【００１２】
本発明の実施態様を添付図面を参照して、例示のみを目的として説明する。
【図１】喫煙品用パックを示す。
【図２】支持スリーブを示す。
【図３】包装された包みを形成するための工程の第１例を示す。
【図４】包装された包みを形成するための工程の第２例を示す。
【図５】包装された包みを示す。
【発明を実施するための形態】
【００１３】
図１は喫煙品用パック１を示し、このパックはヒンジ式蓋付きパック２および包装された喫煙品の包み３を有する。ヒンジ式蓋付きパック２は胴体部４と蓋５とを有し、蓋５はヒンジ６を中心にヒンジ式に胴体部４に取り付けられる。包装された包み３はヒンジ式蓋付きパック２の中に収容され、蓋５は、包装された包み３の一端を露出させるために、ヒンジ６を中心に回転することができる。
【００１４】
図１に示すように包装された包み３はその端部に形成された取り出し口７を有し、この取り出し口７は蓋５を開けると露出する。取り出し口７は、タブ９を引っ張ることにより開封可能なラベル８によって覆われていて、取り出し口７を露出させるためにラベル８を剥がし、包装された包み３内にある喫煙品に触れることができる。
【００１５】
取り出し口７は端部１０を横断して延び、その一部は包装された包み３の前壁１１まで延びる。取り出し口７が開いた時、いくつかの喫煙品の端部に触れることができ、パック１から喫煙品を取り出すために掴むことができる。
【００１６】
包装された包み３は、喫煙品の周囲を封止するバリア材から作製され、包装体を形成する。この包装体は最初にラベル８が開封される前に外部の空気に触れないように封止される。
【００１７】
一部の例ではラベル８は包装された包み３のバリア材から形成される。バリア材は、２層以上の層、例えばラミネート材を含んでもよい。これらの層のひとつは、ラベル８の縁部の周囲に重なり、封止されたラベルを作成するためにバリア材に接着されてもよい。ラベル８を剥がすと、この接着剤が破れ、取り出し口７を露出させる。
【００１８】
これに代わりまたは加えて、ラベル８を開封することによりバリア材の一部を破ることで取り出し口７を形成するようにラベル８は取り出し口７の縁部に少なくとも部分的に接着される。この場合、喫煙品の周囲をバリア材で包装する前に、バリア材を少なくとも部分的に切断することによってラベル８を形成することができる。
【００１９】
別の例では、ラベル８は独立していて、取り出し口７を覆うために、包装された包み３に接着されている。例えば、ラベル８は取り出し口７の周囲のバリア材に接着されてもよい。
【００２０】
ラベル８を開封した際、それは包装された包み３上に残ってもよい。例えば、ラベル８の後縁部（図示せず）は、開封後も包装された包み３に接着したままであってもよい。また別の例では、開封時にラベル８は包装された包み３から取り外されてもよい。
【００２１】
ラベル８を最初に開封した後に取り出し口７上の元の位置に戻ることできるようにラベル８は再封止可能であってもよい。従って、ラベル８は繰り返し使用可能な接着剤を有し、最初に開封された後でも、ラベル８をバリア材に再度接着することができるようにしてもよい。
【００２２】
包装された包み３内で喫煙品は列をなして配置されているため、取り出し口７を開くことで、包装された包み３およびパック１から喫煙品の端部を取り出すために掴むことができる。
【００２３】
本発明の様々な実施態様では、包装された包み３内に形成された包装体内は不完全真空状態になっているので、喫煙品の香味と鮮度を保つために役立っている。包装体から少なくともある程度の空気を抜くことで不完全真空にすることができる。低圧力の環境下で、パックの組み立ての一部を行うことによってもこのような不完全真空状態にすることが可能である。
【００２４】
包装された包み３は充分に封止されることによって、包装された包み３が開封されるまで包装された包み３内を低圧力に保つことができる。包装された包み３のバリア材は空気を通さないものが好ましい。包装された包み３内の包装体は密封されてもよい。
【００２５】
包装された包み３のバリア材は、気体を通さない材料から作られる。包装された包み３内の酸素量が増えないように、酸素を通さない材料であってもよい。また、気体を通さない材料は、バリア材を介する湿気の侵入を防ぐことになり、よって包装された包み３内にある湿気の量は変わらず保たれ、外的条件による影響を受けない。
【００２６】
一例では、バリア材はポリマーを有するラミネート材を含み、ポリプロピレンやポリエチレンなどがラミネート材の外層として配置され、金属ホイル、例えばティンホイル、アルミニウムあるいは他の金属コーティングされたものが、ラミネート材の内層に配置され、ポリマーの二つの層の間に位置する。
【００２７】
他の例では、バリア材はセルロースフィルムおよび／またはポリアクチド（ポリ乳酸）材を含んでもよく、これらはバリア材のバリア性および／またはヒート・シール性を向上させるためにコーティングまたはラミネートすることができる。
【００２８】
バリア材およびラベル８の間のシールは、最初にラベル８を開封する前に包装された包み３内の包装体へシールを通って入る空気の量の増加を防ぐのに十分である。
【００２９】
バリア材によって形成される包装体に喫煙品が収容されるように、バリア材が一群の喫煙品の周囲に巻かれる。例えば、２０本の喫煙品が３列に並んで配置されることによって、喫煙品の包みの断面はほぼ長方形であり、包装された包み３は実質的に直方体であるヒンジ式蓋付きパック２に収容される。しかし、当然のことながら、包装された包み３は異なる数の喫煙品を収容してもよいし、喫煙品の配置は異なってもよい。
【００３０】
支持スリーブは包装された包み３のバリア材によって形成された包装体内の一群の喫煙品の周囲に供される。支持スリーブは喫煙品を少なくとも部分的に囲んで、包装された包み３内の包装体から空気が抜かれる時に、喫煙品がつぶれたり、破れたり、あるいは変形したりしないようにする。
【００３１】
包装された包み３内の包装体を不完全真空にすると、支持スリーブはバリア材上に作用する内方への力に抵抗し、喫煙品を保護する。
【００３２】
図２は支持スリーブ１２の一例を示す。この例では、支持スリーブ１２は実質的に直方体の形をした箱である。喫煙品はこのスリーブ１２の箱内に収容され、これによって喫煙品の包みは少なくとも部分的にスリーブの全ての面で覆われることになる。
【００３３】
支持スリーブ１２は実質的に５つの面を全て有する、即ち正面１３、背面１４、対向する二つの側面１５と１６および底面１７である。支持スリーブ１２は頂面１８も有し、この頂面は部分的に喫煙品の上端に横断して延びている。
【００３４】
図示のとおり、支持スリーブ１２には開口部１９が設けられており、この開口部１９は頂面１８を横断して延び、支持スリーブ１２の正面１３の一部にまで延びている。この開口部１９は包装された包み（３、図１を参照）の取り出し口（７、図１を参照）と合致する。したがって、ラベル（８、図１を参照）が剥がされると、取り出し口（７、図１を参照）及び開口部１９が露出し、喫煙品に触れることができる。
【００３５】
図２に示す支持スリーブ１２の頂面１８はフラップ１８ａ、１８ｂを含み、これらは開口部１９の両側に配置される。これらのフラップ１８ａ、１８ｂは支持スリーブ１２の頂面１８を部分的に横断して延び、包装体内を不完全真空にするために包装された包み（３、図１参照）の包装体から空気を抜く時に、バリア材上に作用する内方への力によるいかなる圧縮からも喫煙品を保護するのに役立つ。
【００３６】
別の例では支持スリーブ１２は、喫煙品の包みを５つの面で囲む５面の箱を含んでもよい。例えば、図２に示した例のように支持スリーブは正面、背面、対向する二つの側面および底面を有してもよい。しかしながら、この例では開封した状態の時の支持スリーブは頂面上にフラップを含まない。
【００３７】
別の例では、支持スリーブ１２は少なくとも３つの面で喫煙品の包みを囲む３面を有する。例えば、支持スリーブは、喫煙品の包みの正面を横断して延びる正面と、喫煙品の包みの側面を横断して延びる２つの対向する側面を有する。この「Ｕ」字型支持スリーブは、包装体内を不完全真空にするために、包装された包み（３、図１参照）の包装体から空気を抜くことによって生じる圧縮から喫煙品を保護するための剛性を供する。
【００３８】
さらに別の例では上述のいずれの支持スリーブ１２は包装された包み（３、図１参照）内の包装体を横断して延びる支柱壁も有してもよい。例えば、支柱壁は支持スリーブ１２の対向する側面の間を延びてもよい。図２に示した支持スリーブ１２の例を参照すると、包装された包み（３、図１参照）内の空間を分けて、正面１３の内部から支持スリーブ１２の背面１４へと延びてもよい。支柱壁は圧縮力に対抗するためのさらなる剛性を供してもよい。支持スリーブ１２が支柱壁を含むとすると、喫煙品は、２つのグループに分かれて配置され、それぞれ支柱壁の一側面に配置される。他の実施態様では、複数の支柱壁を含んでもよく、この場合喫煙品は支柱壁の配置に従って２つ以上のグループに配置されてもよい。
【００３９】
支持スリーブ１２は剛性または半剛性の材料から作製され、内部を不完全真空にするために包装された包み（３、図１参照）内の包装体から空気を抜く際に、この材料は充分に包装体上の内方への圧縮力に対抗できる。例えば、支持スリーブは板紙、複数層の板紙、プラスチックまたは他の好適な材料を含んでもよい。支持スリーブの材料は１平方メートルあたり１５０グラムから３００グラムの板紙であってもよい。板紙は、例えば、ポリマー箔または錫箔またはアルミニウム箔を使って、コーティングまたはラミネートされてよい。ラミネートは、遮断性を供し、包装された包み（３、図１参照）内に存在する吸収性物質から板紙を保護する。
【００４０】
喫煙品用パック１の製造工程において、支持スリーブ１２のブランクは喫煙品の包みの周囲で折りたたまれる。一方で、支持スリーブ１２をある程度形成して、一群の喫煙品をこのある程度形成された支持スリーブ１２内に中に押し込むことができる。
【００４１】
一部の例では、スリーブ１２のブランクは支持スリーブ１２の隣接する面に接着されるフラップを含んでもよく、このフラップによって支持スリーブ１２はその形を保つ。接着されたフラップによって支持スリーブ１２の構造的剛性が大きくなる。
【００４２】
バリア材は支持スリーブ１２および一群の喫煙品の周囲に巻かれ、バリア材の端部および縁部は包装された包み（３、図１参照）を形成するために封止される。
【００４３】
包装された包み（３、図１参照）はヒンジ式蓋付きパック（２、図１参照）に収容される。ヒンジ式蓋付きパック（２、図１参照）は包装された包み（３、図１参照）の周囲で折りたたんで形成してもよいし、あるいは包装された包み（３、図１参照）をある程度形成されたヒンジ式蓋付きパック（２、図１参照）の中に押し込んでもよい。
【００４４】
図３および図４は、包装された包み（３、図１参照）を形成するために、バリア材２１で喫煙品の包み２０および支持スリーブ１２の周囲をどのように包装するかを示す。
【００４５】
図３に示すように一群の喫煙品２０は支持スリーブ１２と組み合わされ、この組み合わせはバリア材２１によって包装されることになる。支持スリーブ１２および喫煙品２０は、支持スリーブ１２の構造によっては、一群の喫煙品２０の周囲を少なくともある程度形成された支持スリーブ１２で包装されることにより、組み合わせてもよい。一方で、喫煙品２０をある程度形成された支持スリーブ１２の中へ押し込んでもよい。
【００４６】
バリア材２１は支持スリーブ１２の周囲に包装され、フィンシール２２がバリア材２１をあるべき位置に保持するように形成され、気密封止する。このようにして支持スリーブ１２と一群の喫煙品２０はバリア材２１によって形成された包装体の中に位置する。気密フィンシール２２は、包装された包み（３、図１参照）内の包装体の中で発生する圧力を低減し、これによって、包装された包み（３、図１参照）が開封されるまで、不完全真空を保持できる。
【００４７】
バリア材２１によって画定された包装体内を不完全真空にするために、一群の喫煙品２０が低圧力状態にさらして包装体内から空気を抜かれるようにしている間に少なくともフィンシール２２を最終的に形成してもよい。例えば、減圧された環境下で最終的なフィン封止作業を行うことができる。
【００４８】
バリア材２１は、図１で示したように、あらかじめ形成された取り出し口７とラベル８を有してもよい。図３および図４に示したように取り出し口７が支持スリーブ１２の開口部１９と合致するようにバリア材２１は支持スリーブ１２と喫煙品２０の周囲に巻かれる。
【００４９】
図３および図４に示すとおり、バリア材２１は支持スリーブ１２の周囲に巻くことができ、第１フィンシール２２ａは、バリア材２１の２つの端部の間に形成することができる。
【００５０】
図３の例では、第１フィンシール２２ａは支持スリーブ１２の背面部１４に隣接する位置に形成される。第１フィンシール２２ａが作成された後、バリア材２１は、支持スリーブ１２と喫煙品２０の周囲に実質的に管として配される。
【００５１】
図４に示すこれとは別の例では、バリア材２１は支持スリーブ１２と喫煙品２０の周囲に巻かれて、管を形成することができ、第１フィンシール２２ａは、取り出し口７およびラベル８とは反対側の、支持スリーブ１２の底面部１７に隣接する位置に形成される。
【００５２】
図３および図４の両方に示す例では、第１フィンシール２２ａは支持スリーブ１２の開口部１９から離れた位置に形成され、これによって取り出し口７とラベル８からは離れることになり、取り出し口７を開封するラベル８の動きは、第１フィンシール２２ａによって影響を受けない。
【００５３】
図３および図４に示すようにバリア材２１が支持スリーブ１２と喫煙品２０の包みの周囲に巻かれ管を形成すると、バリア材２１の管の端部は、喫煙品２０と支持スリーブ１２を収容する包装体を有する、封止された包装された包み（３、図１参照）を形成するために、封止される。バリア材２１の管の端部もまたフィンシールしてもよい。 
【００５４】
図３および図４に点線で示すのは、第１フィンシール２２ａが形成された時のバリア材２１の管内の支持スリーブ１２の範囲である。図示のとおり、バリア材２１の管は、支持スリーブの幅より長く、よってバリア材２１は支持スリーブ１２の側面を越えて延びる。バリア材２１の突出した端部は、封止された包装された包み（３、図１参照）を作成するために、フィンシールされる。
【００５５】
図５では、包装された包み３のお互い対向する側面部に形成されるフィンシール（２２ｂ、２２ｃ）を示す。図示のとおり、第１フィンシール２２ａは、支持スリーブ１２に接するように対して折り返され、包装された包み３の各側部フィンシール２２ｂ、２２ｃを通って延びている。側部フィンシール２２ｂ、２２ｃは包み３の対向する側面に接するように折り返され、これによって、前述のとおり、包装された包み３は、ヒンジ式蓋付きパック（２、図１参照）の中にしっかりと収容されることが可能になる。
【００５６】
図５は、支持スリーブの背面部に隣接する位置に形成されたフィンシール２２ａを示す。しかしながら、図４で既に示したように当然のことながら第１フィンシール２２ａは支持スリーブの底面部に隣接する位置に形成されてもよく、あるいは、取り出し口７およびラベル８から離れたどの位置にでも第１フィンシール２２ａは配されてもよい。
【００５７】
フィンシール２２ａ、２２ｂ、２２ｃは、バリア材２１の対向する部分を接着することにより作成してもよい。即ち、図３および図４に示したとおり、バリア材２１の端部は、同じ方向に向けられ、重なりあうように配されてもよい。バリア材２１の部分は、その後、加熱、接着剤、超音波溶接あるいはバリア材を合わせて接着する他の方法で互いに接着される。バリア材２１は、熱可塑性材料またはその他の材料を含んでもよく、例えば、熱および／または圧力によって活性化されてもよい。
【００５８】
別の例では封止され包装された包み３は、図３〜図５を参照して上述したフィンシール２２ａ、２２ｂ、２２ｃとは異なるプロセスを使って作成される。例えば、バリア材２１は、支持スリーブ１２の側面に接するように端部を折り曲げ、それら端部をプレスして封止部を形成することも可能である。これは、接着剤、加熱、超音波溶接あるいは折り曲げられたバリア材２１のフラップを合わせて接着するためのその他の手段を含んでもよい。この場合、支持スリープ１２の剛性は、シールを作成する間、喫煙品が受ける損傷の可能性を低減するだろう。
【００５９】
上述のように空気は包装された包み３内の包装体から抜かれ、内部を不完全真空にする。このことは、最後のフィンシール２２を形成する前に、減圧環境下に、部分的に包装された包み３を晒すことによって行われてもよい。また当然のことながら、様々な度合いで空気を包装された包み３内の包装体から抜いてもよいが、包装された包み３内の圧力は低減される。またこれも当然のことながら、包装された包み３内の包装体から抜くのは空気だけではなく、その時点で存在するいかなる気体を抜いてもよい。
【００６０】
種々の例では、包装された包み３内の包装体内の不完全真空の圧力は１バール未満である。
【００６１】
一部の例では、包装された包み３内の包装体内の不完全真空の圧力は５００ミリバール未満であり、たとえば、４０〜３００ミリバールの間である。その他の実施態様では、包装された包み３内の包装体内の不完全真空部分の圧力は、１５０ミリバール未満であり、好ましくは８０ミリバール未満である。しかしながら、当然のことながら包装された包み３内の包装体内の不完全真空の圧力は１バール未満のいかなる値でもよい。
【００６２】
本明細書に用いられる用語「喫煙品」は、タバコ、タバコ派生物、膨張タバコ、再生タバコ、またはタバコ代替え品をベースにしたシガレット、シガー、シガリロおよび非燃焼熱製品などの喫煙可能な製品を含む。喫煙品には、喫煙者によって吸引される気体流用のフィルターが設けられている場合がある。
【００６３】
本明細書に用いられる用語「不完全真空」は、ある空間内、例えば、包装された包み（３、図１参照）内の包装体から、気体の少なくとも一部を取り除き、圧力が低減される意味である。
【００６４】
様々な課題を解決し技術を発展させることを目的として、図示を含むこの開示全体は、請求項に係る発明を実施して、優れた喫煙品用パックを提供し得る種々の実施態様を示している。この開示の利点および特徴は、実施態様という典型的な例を示すことのみであって、包括的および／または排他的ではない。それらは理解を助けるため、および請求された特徴を教示するためだけに提出される。当然のことながら、開示の利点、実施態様、例示、機能、特徴、構造および／または他の側面は請求項または請求項の均等物の限定によって定義されるように、開示されたものに限定されず、また開示の範囲および／またはその意図から外れない限り他の実施態様を利用しても良く、変更を加えても良い。種々の実施態様は、説明した要素、成分、特徴、部品、工程、手法などの種々の組み合わせを適宜含んでも良いし、それらのみから構成されても良いし、またはそれらを主に構成されても良い。加えて、この開示は現在請求していないが将来請求し得る他の発明を含んでいる。
【図１】
2017519692.tif 000003
【図２】
2017519692.tif 000004
【図３】
2017519692.tif 000005
【図４】
2017519692.tif 000006
【図５】
2017519692.tif 000007
【手続補正書】
【提出日】平成27年9月24日(2015.9.24)
【手続補正１】
【補正対象書類名】明細書
【補正対象項目名】全文
【補正方法】変更
【補正の内容】
【発明の詳細な説明】
【技術分野】
【０００１】
本発明は喫煙品用パックに関する。
【背景技術】
【０００２】
紙巻きタバコ用のパックは包装された紙巻きタバコの包みを含み、ヒンジ式蓋付きパックに収容される。包装された紙巻きタバコの包みはホイルラッパーを有し、このラッパーは少なくとも部分的に複数の紙巻きタバコを囲む。ヒンジ式蓋を開けると、ホイルラッパーの一部は取り除かれ、紙巻きタバコに触れることができる。
【発明の概要】
【０００３】
本発明では喫煙品用パックを供し、このパックは、内部が不完全な真空状態にある開封可能な包装体と喫煙品の支持部材とを含み、この支持部材は包装体の中に位置し、支持部材は喫煙品を収容する箱を含み、この箱は６つの面で少なくとも部分的に喫煙品を囲み、喫煙品が前記不完全な真空によってつぶれないようにする。
【０００４】
喫煙品用パックは、ヒンジ式蓋付きパックを含んでもよく、包装体はヒンジ式蓋付きパックの中に位置する。
【０００５】
包装体はバリア材を含んでもよい。バリア材はラミネート材を含んでもよい。バリア材はポリマー材および金属系材を含んでもよい。
【０００６】
包装体は一つ以上のシールを含んでもよい。この一つ以上のシールはフィンシールを含んでもよい。
【０００７】
包装体は支持部材の開口部と合致する開封可能な取り出し口を含んでもよい。開封可能な取り出し口は再度閉じることができてもよい。
【０００８】
支持部材は板紙材を含んでもよい。
【０００９】
喫煙品は包装体内に位置してもよい。
【図面の簡単な説明】
【００１０】
本発明の実施態様を添付図面を参照して、例示のみを目的として説明する。
【図１】喫煙品用パックを示す。
【図２】支持スリーブを示す。
【図３】包装された包みを形成するための工程の第１例を示す。
【図４】包装された包みを形成するための工程の第２例を示す。
【図５】包装された包みを示す。
【発明を実施するための形態】
【００１１】
図１は喫煙品用パック１を示し、このパックはヒンジ式蓋付きパック２および包装された喫煙品の包み３を有する。ヒンジ式蓋付きパック２は胴体部４と蓋５とを有し、蓋５はヒンジ６を中心にヒンジ式に胴体部４に取り付けられる。包装された包み３はヒンジ式蓋付きパック２の中に収容され、蓋５は、包装された包み３の一端を露出させるために、ヒンジ６を中心に回転することができる。
【００１２】
図１に示すように包装された包み３はその端部に形成された取り出し口７を有し、この取り出し口７は蓋５を開けると露出する。取り出し口７は、タブ９を引っ張ることにより開封可能なラベル８によって覆われていて、取り出し口７を露出させるためにラベル８を剥がし、包装された包み３内にある喫煙品に触れることができる。
【００１３】
取り出し口７は端部１０を横断して延び、その一部は包装された包み３の前壁１１まで延びる。取り出し口７が開いた時、いくつかの喫煙品の端部に触れることができ、パック１から喫煙品を取り出すために掴むことができる。
【００１４】
包装された包み３は、喫煙品の周囲を封止するバリア材から作製され、包装体を形成する。この包装体は最初にラベル８が開封される前に外部の空気に触れないように封止される。
【００１５】
一部の例ではラベル８は包装された包み３のバリア材から形成される。バリア材は、２層以上の層、例えばラミネート材を含んでもよい。これらの層のひとつは、ラベル８の縁部の周囲に重なり、封止されたラベルを作成するためにバリア材に接着されてもよい。ラベル８を剥がすと、この接着剤が破れ、取り出し口７を露出させる。
【００１６】
これに代わりまたは加えて、ラベル８を開封することによりバリア材の一部を破ることで取り出し口７を形成するようにラベル８は取り出し口７の縁部に少なくとも部分的に接着される。この場合、喫煙品の周囲をバリア材で包装する前に、バリア材を少なくとも部分的に切断することによってラベル８を形成することができる。
【００１７】
別の例では、ラベル８は独立していて、取り出し口７を覆うために、包装された包み３に接着されている。例えば、ラベル８は取り出し口７の周囲のバリア材に接着されてもよい。
【００１８】
ラベル８を開封した際、それは包装された包み３上に残ってもよい。例えば、ラベル８の後縁部（図示せず）は、開封後も包装された包み３に接着したままであってもよい。また別の例では、開封時にラベル８は包装された包み３から取り外されてもよい。
【００１９】
ラベル８を最初に開封した後に取り出し口７上の元の位置に戻ることできるようにラベル８は再封止可能であってもよい。従って、ラベル８は繰り返し使用可能な接着剤を有し、最初に開封された後でも、ラベル８をバリア材に再度接着することができるようにしてもよい。
【００２０】
包装された包み３内で喫煙品は列をなして配置されているため、取り出し口７を開くことで、包装された包み３およびパック１から喫煙品の端部を取り出すために掴むことができる。
【００２１】
本発明の様々な実施態様では、包装された包み３内に形成された包装体内は不完全真空状態になっているので、喫煙品の香味と鮮度を保つために役立っている。包装体から少なくともある程度の空気を抜くことで不完全真空にすることができる。低圧力の環境下で、パックの組み立ての一部を行うことによってもこのような不完全真空状態にすることが可能である。
【００２２】
包装された包み３は充分に封止されることによって、包装された包み３が開封されるまで包装された包み３内を低圧力に保つことができる。包装された包み３のバリア材は空気を通さないものが好ましい。包装された包み３内の包装体は密封されてもよい。
【００２３】
包装された包み３のバリア材は、気体を通さない材料から作られる。包装された包み３内の酸素量が増えないように、酸素を通さない材料であってもよい。また、気体を通さない材料は、バリア材を介する湿気の侵入を防ぐことになり、よって包装された包み３内にある湿気の量は変わらず保たれ、外的条件による影響を受けない。
【００２４】
一例では、バリア材はポリマーを有するラミネート材を含み、ポリプロピレンやポリエチレンなどがラミネート材の外層として配置され、金属ホイル、例えばティンホイル、アルミニウムあるいは他の金属コーティングされたものが、ラミネート材の内層に配置され、ポリマーの二つの層の間に位置する。
【００２５】
他の例では、バリア材はセルロースフィルムおよび／またはポリアクチド（ポリ乳酸）材を含んでもよく、これらはバリア材のバリア性および／またはヒート・シール性を向上させるためにコーティングまたはラミネートすることができる。
【００２６】
バリア材およびラベル８の間のシールは、最初にラベル８を開封する前に包装された包み３内の包装体へシールを通って入る空気の量の増加を防ぐのに十分である。
【００２７】
バリア材によって形成される包装体に喫煙品が収容されるように、バリア材が一群の喫煙品の周囲に巻かれる。例えば、２０本の喫煙品が３列に並んで配置されることによって、喫煙品の包みの断面はほぼ長方形であり、包装された包み３は実質的に直方体であるヒンジ式蓋付きパック２に収容される。しかし、当然のことながら、包装された包み３は異なる数の喫煙品を収容してもよいし、喫煙品の配置は異なってもよい。
【００２８】
支持スリーブは包装された包み３のバリア材によって形成された包装体内の一群の喫煙品の周囲に供される。支持スリーブは喫煙品を少なくとも部分的に囲んで、包装された包み３内の包装体から空気が抜かれる時に、喫煙品がつぶれたり、破れたり、あるいは変形したりしないようにする。
【００２９】
包装された包み３内の包装体を不完全真空にすると、支持スリーブはバリア材上に作用する内方への力に抵抗し、喫煙品を保護する。
【００３０】
図２は支持スリーブ１２の一例を示す。この例では、支持スリーブ１２は実質的に直方体の形をした箱である。喫煙品はこのスリーブ１２の箱内に収容され、これによって喫煙品の包みは少なくとも部分的にスリーブの全ての面で覆われることになる。
【００３１】
支持スリーブ１２は実質的に５つの面を全て有する、即ち正面１３、背面１４、対向する二つの側面１５と１６および底面１７である。支持スリーブ１２は頂面１８も有し、この頂面は部分的に喫煙品の上端に横断して延びている。
【００３２】
図示のとおり、支持スリーブ１２には開口部１９が設けられており、この開口部１９は頂面１８を横断して延び、支持スリーブ１２の正面１３の一部にまで延びている。この開口部１９は包装された包み（３、図１を参照）の取り出し口（７、図１を参照）と合致する。したがって、ラベル（８、図１を参照）が剥がされると、取り出し口（７、図１を参照）及び開口部１９が露出し、喫煙品に触れることができる。
【００３３】
図２に示す支持スリーブ１２の頂面１８はフラップ１８ａ、１８ｂを含み、これらは開口部１９の両側に配置される。これらのフラップ１８ａ、１８ｂは支持スリーブ１２の頂面１８を部分的に横断して延び、包装体内を不完全真空にするために包装された包み（３、図１参照）の包装体から空気を抜く時に、バリア材上に作用する内方への力によるいかなる圧縮からも喫煙品を保護するのに役立つ。
【００３４】
別の例では支持スリーブ１２は、喫煙品の包みを５つの面で囲む５面の箱を含んでもよい。例えば、図２に示した例のように支持スリーブは正面、背面、対向する二つの側面および底面を有してもよい。しかしながら、この例では開封した状態の時の支持スリーブは頂面上にフラップを含まない。
【００３５】
別の例では、支持スリーブ１２は少なくとも３つの面で喫煙品の包みを囲む３面を有する。例えば、支持スリーブは、喫煙品の包みの正面を横断して延びる正面と、喫煙品の包みの側面を横断して延びる２つの対向する側面を有する。この「Ｕ」字型支持スリーブは、包装体内を不完全真空にするために、包装された包み（３、図１参照）の包装体から空気を抜くことによって生じる圧縮から喫煙品を保護するための剛性を供する。
【００３６】
さらに別の例では上述のいずれの支持スリーブ１２は包装された包み（３、図１参照）内の包装体を横断して延びる支柱壁も有してもよい。例えば、支柱壁は支持スリーブ１２の対向する側面の間を延びてもよい。図２に示した支持スリーブ１２の例を参照すると、包装された包み（３、図１参照）内の空間を分けて、正面１３の内部から支持スリーブ１２の背面１４へと延びてもよい。支柱壁は圧縮力に対抗するためのさらなる剛性を供してもよい。支持スリーブ１２が支柱壁を含むとすると、喫煙品は、２つのグループに分かれて配置され、それぞれ支柱壁の一側面に配置される。他の実施態様では、複数の支柱壁を含んでもよく、この場合喫煙品は支柱壁の配置に従って２つ以上のグループに配置されてもよい。
【００３７】
支持スリーブ１２は剛性または半剛性の材料から作製され、内部を不完全真空にするために包装された包み（３、図１参照）内の包装体から空気を抜く際に、この材料は充分に包装体上の内方への圧縮力に対抗できる。例えば、支持スリーブは板紙、複数層の板紙、プラスチックまたは他の好適な材料を含んでもよい。支持スリーブの材料は１平方メートルあたり１５０グラムから３００グラムの板紙であってもよい。板紙は、例えば、ポリマー箔または錫箔またはアルミニウム箔を使って、コーティングまたはラミネートされてよい。ラミネートは、遮断性を供し、包装された包み（３、図１参照）内に存在する吸収性物質から板紙を保護する。
【００３８】
喫煙品用パック１の製造工程において、支持スリーブ１２のブランクは喫煙品の包みの周囲で折りたたまれる。一方で、支持スリーブ１２をある程度形成して、一群の喫煙品をこのある程度形成された支持スリーブ１２内に中に押し込むことができる。
【００３９】
一部の例では、スリーブ１２のブランクは支持スリーブ１２の隣接する面に接着されるフラップを含んでもよく、このフラップによって支持スリーブ１２はその形を保つ。接着されたフラップによって支持スリーブ１２の構造的剛性が大きくなる。
【００４０】
バリア材は支持スリーブ１２および一群の喫煙品の周囲に巻かれ、バリア材の端部および縁部は包装された包み（３、図１参照）を形成するために封止される。
【００４１】
包装された包み（３、図１参照）はヒンジ式蓋付きパック（２、図１参照）に収容される。ヒンジ式蓋付きパック（２、図１参照）は包装された包み（３、図１参照）の周囲で折りたたんで形成してもよいし、あるいは包装された包み（３、図１参照）をある程度形成されたヒンジ式蓋付きパック（２、図１参照）の中に押し込んでもよい。
【００４２】
図３および図４は、包装された包み（３、図１参照）を形成するために、バリア材２１で喫煙品の包み２０および支持スリーブ１２の周囲をどのように包装するかを示す。
【００４３】
図３に示すように一群の喫煙品２０は支持スリーブ１２と組み合わされ、この組み合わせはバリア材２１によって包装されることになる。支持スリーブ１２および喫煙品２０は、支持スリーブ１２の構造によっては、一群の喫煙品２０の周囲を少なくともある程度形成された支持スリーブ１２で包装されることにより、組み合わせてもよい。一方で、喫煙品２０をある程度形成された支持スリーブ１２の中へ押し込んでもよい。
【００４４】
バリア材２１は支持スリーブ１２の周囲に包装され、フィンシール２２がバリア材２１をあるべき位置に保持するように形成され、気密封止する。このようにして支持スリーブ１２と一群の喫煙品２０はバリア材２１によって形成された包装体の中に位置する。気密フィンシール２２は、包装された包み（３、図１参照）内の包装体の中で発生する圧力を低減し、これによって、包装された包み（３、図１参照）が開封されるまで、不完全真空を保持できる。
【００４５】
バリア材２１によって画定された包装体内を不完全真空にするために、一群の喫煙品２０が低圧力状態にさらして包装体内から空気を抜かれるようにしている間に少なくともフィンシール２２を最終的に形成してもよい。例えば、減圧された環境下で最終的なフィン封止作業を行うことができる。
【００４６】
バリア材２１は、図１で示したように、あらかじめ形成された取り出し口７とラベル８を有してもよい。図３および図４に示したように取り出し口７が支持スリーブ１２の開口部１９と合致するようにバリア材２１は支持スリーブ１２と喫煙品２０の周囲に巻かれる。
【００４７】
図３および図４に示すとおり、バリア材２１は支持スリーブ１２の周囲に巻くことができ、第１フィンシール２２ａは、バリア材２１の２つの端部の間に形成することができる。
【００４８】
図３の例では、第１フィンシール２２ａは支持スリーブ１２の背面部１４に隣接する位置に形成される。第１フィンシール２２ａが作成された後、バリア材２１は、支持スリーブ１２と喫煙品２０の周囲に実質的に管として配される。
【００４９】
図４に示すこれとは別の例では、バリア材２１は支持スリーブ１２と喫煙品２０の周囲に巻かれて、管を形成することができ、第１フィンシール２２ａは、取り出し口７およびラベル８とは反対側の、支持スリーブ１２の底面部１７に隣接する位置に形成される。
【００５０】
図３および図４の両方に示す例では、第１フィンシール２２ａは支持スリーブ１２の開口部１９から離れた位置に形成され、これによって取り出し口７とラベル８からは離れることになり、取り出し口７を開封するラベル８の動きは、第１フィンシール２２ａによって影響を受けない。
【００５１】
図３および図４に示すようにバリア材２１が支持スリーブ１２と喫煙品２０の包みの周囲に巻かれ管を形成すると、バリア材２１の管の端部は、喫煙品２０と支持スリーブ１２を収容する包装体を有する、封止された包装された包み（３、図１参照）を形成するために、封止される。バリア材２１の管の端部もまたフィンシールしてもよい。 
【００５２】
図３および図４に点線で示すのは、第１フィンシール２２ａが形成された時のバリア材２１の管内の支持スリーブ１２の範囲である。図示のとおり、バリア材２１の管は、支持スリーブの幅より長く、よってバリア材２１は支持スリーブ１２の側面を越えて延びる。バリア材２１の突出した端部は、封止された包装された包み（３、図１参照）を作成するために、フィンシールされる。
【００５３】
図５では、包装された包み３のお互い対向する側面部に形成されるフィンシール（２２ｂ、２２ｃ）を示す。図示のとおり、第１フィンシール２２ａは、支持スリーブ１２に接するように対して折り返され、包装された包み３の各側部フィンシール２２ｂ、２２ｃを通って延びている。側部フィンシール２２ｂ、２２ｃは包み３の対向する側面に接するように折り返され、これによって、前述のとおり、包装された包み３は、ヒンジ式蓋付きパック（２、図１参照）の中にしっかりと収容されることが可能になる。
【００５４】
図５は、支持スリーブの背面部に隣接する位置に形成されたフィンシール２２ａを示す。しかしながら、図４で既に示したように当然のことながら第１フィンシール２２ａは支持スリーブの底面部に隣接する位置に形成されてもよく、あるいは、取り出し口７およびラベル８から離れたどの位置にでも第１フィンシール２２ａは配されてもよい。
【００５５】
フィンシール２２ａ、２２ｂ、２２ｃは、バリア材２１の対向する部分を接着することにより作成してもよい。即ち、図３および図４に示したとおり、バリア材２１の端部は、同じ方向に向けられ、重なりあうように配されてもよい。バリア材２１の部分は、その後、加熱、接着剤、超音波溶接あるいはバリア材を合わせて接着する他の方法で互いに接着される。バリア材２１は、熱可塑性材料またはその他の材料を含んでもよく、例えば、熱および／または圧力によって活性化されてもよい。
【００５６】
別の例では封止され包装された包み３は、図３〜図５を参照して上述したフィンシール２２ａ、２２ｂ、２２ｃとは異なるプロセスを使って作成される。例えば、バリア材２１は、支持スリーブ１２の側面に接するように端部を折り曲げ、それら端部をプレスして封止部を形成することも可能である。これは、接着剤、加熱、超音波溶接あるいは折り曲げられたバリア材２１のフラップを合わせて接着するためのその他の手段を含んでもよい。この場合、支持スリープ１２の剛性は、シールを作成する間、喫煙品が受ける損傷の可能性を低減するだろう。
【００５７】
上述のように空気は包装された包み３内の包装体から抜かれ、内部を不完全真空にする。このことは、最後のフィンシール２２を形成する前に、減圧環境下に、部分的に包装された包み３を晒すことによって行われてもよい。また当然のことながら、様々な度合いで空気を包装された包み３内の包装体から抜いてもよいが、包装された包み３内の圧力は低減される。またこれも当然のことながら、包装された包み３内の包装体から抜くのは空気だけではなく、その時点で存在するいかなる気体を抜いてもよい。
【００５８】
種々の例では、包装された包み３内の包装体内の不完全真空の圧力は１バール未満である。
【００５９】
一部の例では、包装された包み３内の包装体内の不完全真空の圧力は５００ミリバール未満であり、たとえば、４０〜３００ミリバールの間である。その他の実施態様では、包装された包み３内の包装体内の不完全真空部分の圧力は、１５０ミリバール未満であり、好ましくは８０ミリバール未満である。しかしながら、当然のことながら包装された包み３内の包装体内の不完全真空の圧力は１バール未満のいかなる値でもよい。
【００６０】
本明細書に用いられる用語「喫煙品」は、タバコ、タバコ派生物、膨張タバコ、再生タバコ、またはタバコ代替え品をベースにしたシガレット、シガー、シガリロおよび非燃焼熱製品などの喫煙可能な製品を含む。喫煙品には、喫煙者によって吸引される気体流用のフィルターが設けられている場合がある。
【００６１】
本明細書に用いられる用語「不完全真空」は、ある空間内、例えば、包装された包み（３、図１参照）内の包装体から、気体の少なくとも一部を取り除き、圧力が低減される意味である。
【００６２】
様々な課題を解決し技術を発展させることを目的として、図示を含むこの開示全体は、請求項に係る発明を実施して、優れた喫煙品用パックを提供し得る種々の実施態様を示している。この開示の利点および特徴は、実施態様という典型的な例を示すことのみであって、包括的および／または排他的ではない。それらは理解を助けるため、および請求された特徴を教示するためだけに提出される。当然のことながら、開示の利点、実施態様、例示、機能、特徴、構造および／または他の側面は請求項または請求項の均等物の限定によって定義されるように、開示されたものに限定されず、また開示の範囲および／またはその意図から外れない限り他の実施態様を利用しても良く、変更を加えても良い。種々の実施態様は、説明した要素、成分、特徴、部品、工程、手法などの種々の組み合わせを適宜含んでも良いし、それらのみから構成されても良いし、またはそれらを主に構成されても良い。加えて、この開示は現在請求していないが将来請求し得る他の発明を含んでいる。
【手続補正２】
【補正対象書類名】特許請求の範囲
【補正対象項目名】全文
【補正方法】変更
【補正の内容】
【特許請求の範囲】
【請求項１】
内部が不完全な真空状態にある開封可能な包装体と喫煙品の支持部材とを含み、この支持部材は包装体の中に位置し、支持部材は喫煙品を収容する箱を含み、この箱は６つの面で少なくとも部分的に喫煙品を囲み、喫煙品が前記不完全な真空によってつぶれないようにする喫煙品用パック。
【請求項２】
ヒンジ式蓋付きパックを含み、包装体はヒンジ式蓋付きパックの中に位置することを特徴とする請求項１に記載の喫煙品用パック。
【請求項３】
包装体はバリア材を含むことを特徴とする請求項１または２に記載の喫煙品用パック。
【請求項４】
バリア材はラミネート材を含むことを特徴とする請求項３に記載の喫煙品用パック。
【請求項５】
バリア材はポリマー材および金属系材を含むことを特徴とする請求項３または４に記載の喫煙品用パック。
【請求項６】
包装体は一つ以上のシールを含むことを特徴とする請求項１乃至５いずれか１項に記載の喫煙品用パック。
【請求項７】
１つ以上のシールはフィンシールを含むことを特徴とする請求項６に記載の喫煙品用パック。
【請求項８】
前記箱は開口部を含むことを特徴とする請求項１乃至７いずれか１項記載の喫煙品用パック。
【請求項９】
包装体は支持部材の開口部と合致する開封可能な取り出し口を含むことを特徴とする請求項１乃至８いずれか１項に記載の喫煙品用パック。
【請求項１０】
前記開封可能な取り出し口は再度閉めることが可能であることを特徴とする請求項９に記載の喫煙品用パック。
【請求項１１】
支持部材は板紙材を含むことを特徴とする請求項１乃至１０いずれか１項に記載の喫煙品用パック。
【請求項１２】
喫煙品は包装体内に位置することを特徴とする請求項１乃至１１いずれか１項に記載の喫煙品用パック。
【国際調査報告】
2017519692.tif 000008
2017519692.tif 000009
2017519692.tif 000010